(57)【要約】【課題】組立作業性が良好で、生産性の向上を図ることができる照明器具を提供する。【解決手段】本発明は、側壁１１ａを有し、この側壁１１ａの内面側の略中央部に、長手方向であって側壁１１ａと略直交する方向に延出する部品取付壁１１ｂが設けられたベースケース１１と、このベースケース１１に組み合わされて内部スペースを形成するカバーケース１２とを備えたケース本体１と、前記部品取付壁１１ｂの前面側に配設された光源を発光素子２２とする光源部２と、前記部品取付壁１１ｂの背面側に配設された前記発光素子２２を点灯制御する点灯装置３とを備える照明器具である。【選択図】図６
2012099277.tif 000002
【特許請求の範囲】
【請求項１】
側壁を有し、この側壁の内面側の略中央部に、長手方向であって側壁と略直交する方向に延出する部品取付壁が設けられたベースケースと、このベースケースに組み合わされて内部スペースを形成するカバーケースとを備えたケース本体と；
前記部品取付壁の前面側に配設された光源を発光素子とする光源部と；
前記部品取付壁の背面側に配設された前記発光素子を点灯制御する点灯装置と；
を具備することを特徴とする照明器具。
【請求項２】
前記部品取付壁における延出した端部とカバーケースの内面との間には、所定のクリアランスが形成されていることを特徴とする請求項１に記載の照明器具。
【請求項３】
前記ベースケースには、ケース本体を取付けて支持する取付支持部が設けられていることを特徴とする請求項１又は請求項２に記載の照明器具。
【請求項４】
前記取付支持部は、前記部品取付壁と対応する位置に設けられていることを特徴とする請求項３に記載の照明器具。
【請求項５】
前記ベースケースとカバーケースとの組み合わせにおける当該ベースケースとカバーケースとの接合部には、シール部材が介在されており、この近傍にはベースケースとカバーケースの接合方向に作用する力を増加する接合強化手段が設けられていることを特徴とする請求項１乃至請求項４のいずれか一に記載の照明器具。
【請求項６】
前記ベースケースとカバーケースとの組み合わせとともに、前記光源部を覆う前面カバーが取付けられることを特徴とする請求項１乃至請求項５のいずれか一に記載の照明器具。
【請求項７】
前記ケース本体には、電源線導入口が設けられた着脱可能な蓋部材が設けられていて、この蓋部材を取外した状態においては、電源線が接続される端子台が露出されるように配置されていることを特徴とする請求項１乃至請求項６のいずれか一に記載の照明器具。
【発明の詳細な説明】
【技術分野】
【０００１】
本発明の実施形態は、ＬＥＤ等の発光素子を光源として用いる照明器具に関する。
【背景技術】
【０００２】
近時、ＬＥＤの高出力化、高効率化及び普及化に伴い、光源としてＬＥＤを用いた屋内又は屋外で使用される長寿命化が期待できる照明器具が開発されている。このような照明器具は、ＬＥＤを基板に複数実装して所定の光量を得るようにしたもので、例えば、外殻となる金属製のケースが押出成形によって一体的に横長状の筒状に作られる場合がある。
【先行技術文献】
【特許文献】
【０００３】
【特許文献１】国際公開第２００５／２４２９１号
【発明の概要】
【発明が解決しようとする課題】
【０００４】
しかしながら、上記のような照明器具においては、ケースの両端の比較的狭い開口部等から光源部や点灯装置を構成する部品を組込んで配置し、また、これらを電気的に配線して接続しなければならない。そのため組立作業性が悪く、生産性の低下を来す可能性がある。
本発明は、上記課題に鑑みなされたもので、組立作業性が良好で、生産性の向上を図ることができる照明器具を提供することを目的とする。
【課題を解決するための手段】
【０００５】
本発明の実施形態による照明器具は、ベースケースとカバーケースとを有するケース本体を備えている。ベースケースは、側壁を有し、この側壁の内面側の略中央部に、長手方向であって側壁と略直交する方向に延出する部品取付壁が設けられている。カバーケースは、ベースケース１１に組み合わされて内部スペースを形成している。
【０００６】
また、前記部品取付壁の前面側には、光源を発光素子とする光源部が配設されている。さらに、前記部品取付壁の背面側には、発光素子を点灯制御する点灯装置が配設されている。
【発明の効果】
【０００７】
本発明の実施形態によれば、組立作業性が良好で、生産性の向上を図ることができる照明器具を提供することができる。
【図面の簡単な説明】
【０００８】
【図１】本発明の実施形態に係る照明器具が取付部材に取付けられた状態を示す斜視図である。
【図２】同照明器具が取付部材に取付けられた状態を示す側面図である。
【図３】同照明器具を前面側から見て示す平面図である。
【図４】同照明器具を背面側から見て示す斜視図ある。
【図５】図１中、Ａ−Ａ線に沿って示す断面図である。
【図６】図５において、ベースケースからカバーケースを分離した状態を示す断面図である。
【図７】同照明器具を分解して示す構成図である。
【図８】同照明器具における光源部を示す斜視図である。
【図９】同照明器具におけるベースケースとカバーケースとを示す斜視図である。
【図１０】同照明器具におけるベースケースとカバーケースとを図９とは異なる方向から見て示す斜視図である。
【発明を実施するための形態】
【０００９】
以下、本発明の実施形態について図１乃至図１０を参照して説明する。本実施形態は、夜の景観を美しく演出する例えば、建物の外壁に光を当ててライトアップ等を行うのに適する主として屋外で使用される照明器具を示している。
【００１０】
図１及び図２に示すように、照明器具は、建物等の構造物に固定される取付部材Ｆに取付けられて支持されるようになっている。取付部材Ｆは、台座ｐとアームａとを備えている。台座ｐは、構造物に固定される部分であり、アームａには、その先端側に照明器具が取付けられて支持されるようになっている。また、アームａは、一端側を支点として回動可能で、照明器具を設置する際に、その回動角度を調整して照明器具から照射される光の方向を適宜変更できるようになっている。
照明器具が取付部材Ｆに取付けられた状態を示す図１及び図２においては、図示上、照明器具から照射される光は上方に向けられるようになる。
なお、取付部材Ｆは、上記のような構成に限らない。照明器具が取付けられ支持できるものであればよい。
図１乃至図３及び図５乃至図７に示すように、照明器具は、ケース本体１と、このケース本体１内に収容された光源部２及び点灯装置３とを備えている。
【００１１】
ケース本体１は、ベースケース１１と、カバーケース１２とから構成されており、それぞれ熱伝導性が良好なアルミニウム材料で押出成形によって作られている。ケース本体１は、横長の長尺状をなしており、具体的には、長さ寸法が９９０ｍｍであり、幅寸法が６７ｍｍに形成されている。
【００１２】
図９及び図１０の参照を加えて示すように、ケース本体１は、ベースケース１１とカバーケース１２とが組み合わされていて、両端部には側板１３が取付けられて一体化されている（図６においては、側板１３の図示を省略している）。
【００１３】
ベースケース１１は、横長であり側面形状が略Ｔ字状に形成されている。より詳しくは、ベースケース１１は、長手方向に形成された側壁１１ａを有しており、この側壁１１ａの内面側の略中央部には、長手方向に沿って略長方形状であって平坦状の部品取付壁１１ｂが一体的に形成されている。
【００１４】
この部品取付壁１１ｂは、側壁１１ａと略直交する方向（図示上、水平方向）に延出するように形成されていて、前面側（光の照射方向）及び背面側に部品が取付けられて配設できるようになっている。
【００１５】
また、側壁１１ａの外面側には、前記取付部材Ｆに取付けられる取付支持部１１ｃが形成されている。取付支持部１１ｃは、部品取付壁１１ｂと対応して長手方向に亘って形成され、長手方向に直交する断面形状がＣ状である。このＣ状の取付支持部１１ｃに詳細を省略する取付用レールが挿入されて、取付部材Ｆとボルトで固定され、ケース本体１が取付部材Ｆに取付けられ支持されるようになっている。
【００１６】
図５及び図６に代表して説明するように、側壁１１ａにおける前面側の端部には、長手方向に沿って後述する透光性の前面カバー４を保持する保持溝１１ｄが形成されている。さらに、側壁１１ａにおける背面側の端部には、長手方向に沿ってカバーケース１２が接合される接合溝１１ｅが形成されている。
【００１７】
カバーケース１２は、横長で側面形状が略Ｌ字状に形成されている。このカバーケース１２は、長手方向に形成された側壁１２ａ及び側壁１２ａの背面側から直角方向に内側に一体的に延出された背面壁１２ｂを有している。背面壁１２ｂの一端側には、電源線を導入するための四角形状の開口１２ｃが形成されている（図４、図７及び図１０参照）。
【００１８】
図５及び図６に代表して説明するように、側壁１２ａにおける前面側の端部には、ベースケース１１と同様に、長手方向に沿って透光性の前面カバー４を保持する保持溝１２ｄが形成されている。さらに、側壁１２ａにおける背面側の端部には、長手方向に沿って前記ベースケース１１の接合溝１１ｅと対向して接合突起１２ｅが形成されている。
【００１９】
また、ベースケース１１における保持溝１１ｄ及びカバーケース１２における保持溝１２ｄには、シール部材５が配設されている。さらに、ベースケース１１の接合溝１１ｅとカバーケース１２の接合突起１２ｅとの間にもシール部材５が配設されるようになっている。このシール部材５には、シリコーン樹脂等の材料が用いられていて、ベースケース１１とカバーケース１２とが組み合わされて形成される内部スペースに水や塵埃が侵入するのを防止する機能を果たしている。
【００２０】
さらに、これらシール部材５の近傍には、ベースケース１１とカバーケース１２と組み合わせ（接合）において、その接合方向に作用する力を増加する接合強化手段６が設けられている。この接合強化手段６は、具体的には、締め付けボルトであり、ベースケース１１における側壁１１ａの外面側から貫通してカバーケース１２の内面側にねじ込まれ、カバーケース１２に引っ張り方向の力を作用させるものである。
【００２１】
つまり、締め付けボルトがねじ込まれることにより、カバーケース１２がベースケース１１側に引き寄せられ、シール部材５によるシール効果が高まり、防水効果を確実に確保することが可能となる。なお、接合強化手段６は、締め付けボルトに限らない。例えば、ベースケース１１とカバーケース１２とに相互に接合方向の力を作用させるようなばね部材を適用してもよい。
【００２２】
ケース本体１の前面側には、長手方向に沿って長方形状の透光性の前面カバー４が設けられている。前面カバー４は、透明なガラス材料から作られていて、光源部２を覆い、前記ベースケース１１における保持溝１１ｄとカバーケース１２における保持溝１２ｄとの間にシール部材５を介して挟持され保持されている。
【００２３】
光源部２は、図８の参照を加えて説明するように、基板２１と、この基板２１に実装された複数の発光素子２２と、この発光素子２２に対向して配置されたレンズ部材２３とを備えている。光源部２は、ベースケース１１の部品取付壁１１ｂにおける前面側に取付けられて配設されている。
【００２４】
基板２１は、略長方形状に形成されており、複数、すなわち、６枚の基板２１が直線状に並べられてベースケース１１の部品取付壁１１ｂにおける前面側に、その裏面側が部品取付壁１１ｂに密着するように取付けられている。この基板２１の表面側には、複数の発光素子２２が実装されている。
【００２５】
基板２１は、絶縁材であるガラスコンポジット基板（ＣＥＭ−３）の平板からなり、表面側には銅箔で形成された配線パターンが施されている。また、適宜レジスト層が施されるようになっている。なお、基板２１の材料は、絶縁材とする場合には、ガラスエポキシ樹脂（ＦＲ−４）やセラミックス材料を適用できる。さらに、金属製とする場合は、アルミニウム等の熱伝導性が良好で放熱性に優れたべース板の一面に絶縁層が積層された金属製のべース基板を適用できる。
【００２６】
発光素子２２は、ＬＥＤであり、表面実装型のＬＥＤパッケージである。概略的にはセラミックスで形成された本体に配設されたＬＥＤチップと、このＬＥＤチップを封止するエポキシ系樹脂やシリコーン樹脂等のモールド用の透光性樹脂とから構成されている。
【００２７】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２８】
なお、ＬＥＤは、ＬＥＤのベアチップを直接基板２１に実装するようにしてもよく、また、砲弾型のＬＥＤを実装するようにしてもよく、実装方式や形式は、格別限定されるものではない。
【００２９】
レンズ部材２３は、各基板２１ごとに設けられており、各発光素子２２を覆うように配置されていて、発光素子２２から出射される光を集光して外部に向けて照射する機能を有している。レンズ部材２３は、例えば、アクリル樹脂等の透明合成樹脂からなり、側面形状が略ボウル状に形成されており、発光素子２２と対向する部分には、側面形状が略台形状の溝部２３ａが形成されている。
【００３０】
また、レンズ部材２３の両側には、複数の取付脚２３ｂが一体的に形成されている。光源部２の部品取付壁１１ｂへの取付けにあたっては、このレンズ部材２３の取付脚２３ｂを図示しないねじ止め等によって部品取付壁１１ｂに固定することにより、取付脚２３ｂの肩部が基板２１の表面上に当接される。これによって基板２１が取付脚２３ｂの肩部に押圧されて、基板２１が取付脚２３ｂの固定と同時に取付けられるようになっている（図５及び図６参照）。
【００３１】
点灯装置３は、ベースケース１１の部品取付壁１１ｂにおける背面側に取付けられて配設されている。点灯装置３は、箱状のケース内に回路基板及びこの基板に実装された回路部品を収容して構成されており、商用交流電源ＡＣに電源線によって接続されていて、この交流電源ＡＣを受けて直流出力を生成するものである。
【００３２】
点灯装置３は、例えば、全波整流回路の出力端子間に平滑コンデンサを接続し、この平滑コンデンサに直流電圧変換回路及び電流検出手段を接続して構成されている。したがって、点灯装置３は、リード線等の配線接続部材によって基板２１を介して発光素子２２に接続されており、その直流出力を発光素子２２に供給し、発光素子２２を点灯制御するようになっている。
【００３３】
また、図４及び図７に示すように、部品取付壁１１ｂにおける背面側の一端側には、端子台７が取付けられている。この端子台７は、前記点灯装置３に接続されており、電源線や送り線が接続されるようになっている。
【００３４】
同じく、図４及び図７に示すように、カバーケース１２に形成された開口１２ｃには、この開口１２ｃを閉塞するように蓋部材８が着脱可能にねじ止め等によって取付けられるようになっている。蓋部材８は、開口１２ｃに対応して四角形状をなしていて、この蓋部材８には電源線導入口として機能するケーブルクランプ８ａが設けられている。そして、ケーブルクランプ８ａには、電源線が気密的に挿通されるようになっている。
【００３５】
したがって、電源線は、ケーブルクランプ８ａを挿通し、端子台７に接続され、その後、蓋部材８がシール部材８ｂの介在の下、開口１２ｃを閉塞するように取付けられる。この場合、蓋部材８が取外されている状態においては、電源線が接続される端子台７が開口１２ｃから露出されるように部品取付壁１１ｂに配置されているため、端子台７が容易に視認でき、電源線の接続作業が容易となる効果を奏することができる。
次に、上記のように構成された照明器具の組立工程の一例について、主として図５及び図６を参照して概略を説明する。
【００３６】
図６に示すように、光源部２をベースケース１１の部品取付壁１１ｂにおける前面側に取付ける。また、部品取付壁１１ｂにおける背面側に点灯装置３を取付ける。加えて、同部品取付壁１１ｂの背面側に端子台７（図４及び図７参照）を取付ける。したがって、部品取付壁１１ｂの前面側及び背面側の両面に電気的部品が取付けられることとなる。また、光源部２と点灯装置３等の必要な電気的配線処理を行う。
【００３７】
この場合、ケース本体１は、ベースケース１１及びカバーケース１２の分割ケースになっている。つまり、ケース本体１は、長手方向に沿ってベースケース１１とカバーケース１２とに２分割されているので、この分割された状態で電気的部品の取付け、組込みが作業を行うことができ、作業が容易となり作業性の向上を図ることができる。
また、ベースケース１１側に電気的部品を集中化して取付け配置できるので、この点においても作業性が良好となる。
【００３８】
次いで、ベースケース１１にカバーケース１２を組み合わせて接合する。詳しくは、ベースケース１１の背面側の接合溝１１ｅにシール部材５を介してカバーケース１２の接合突起１２ｅを嵌合する。一方、ベースケース１１の前面側の保持溝１１ｄとカバーケース１２の前面側の保持溝１２ｄとの間に、シール部材５を介して前面カバー４を挟持し保持するように配置する。そして、この状態において、ベースケース１１及びカバーケース１２の両端部に側板１３をねじ等の固定手段によって取付ける。これによって、ベースケース１１及びカバーケース１２は、組み合わされて一体化される。
【００３９】
このようにベースケース１１とカバーケース１２との組み合わせとともに、前面カバー４が同時に取付けられる。このため、前面カバー４の取付け構成の簡素化を図ることが可能となる。
【００４０】
因みに、ベースケース１１とカバーケース１２の接合部は、具体的には、ベースケース１１の接合溝１１ｅ及びカバーケース１２の接合突起１２ｅ、また、前面カバー４を介して間接的にベースケース１１の保持溝１１ｄ及びカバーケース１２の保持溝１２ｄが該当することとなる。
【００４１】
続いて、接合強化手段６である締め付けボルトをベースケース１１を貫通させてカバーケース１２にねじ込む。これによりシール部材５のシール効果を高めることができる。
【００４２】
図５に示すように、ベースケース１１とカバーケース１２とが組み合わされた状態においては、上述したように光源部２や点灯装置３が収容される略筒状の内部スペースが形成される。また、部品取付壁１１ｂにおける延出した端部とカバーケース１２の内面との間には、図示破線で示す所定のクリアランスＣが形成されるようになる。したがって、このクリアランスＣにリード線等の配線接続部材を配置することが可能となる。すなわち、クリアランスＣによって配線処理空間が形成されるようになっている。
【００４３】
さらに、ベースケース１１には、取付部材Ｆに取付けられる取付支持部１１ｃが形成されている。ベースケース１１側には、電気的部品が集中化して配置されているので、ベースケース１１側が重量的に重くなるが、このベースケース１１側が取付部材Ｆに取付けられるので、取付部材Ｆや取付支持部１１ｃに過度な荷重がかかるのを抑制でき、照明器具を安定して支持することが可能となる。加えて、取付支持部１１ｃは、光源部２及び点灯装置が配設される部品取付壁１１ｂに対応して設けられているので、取付支持部１１ｃを支点として取付支持部１１ｃにかかるトルクを軽減することが可能となり、さらに、ベースケース１１とカバーケース１２との接合部分への応力を軽減することができ、防水性を維持しやすくなる。
【００４４】
照明器具の設置状態において、点灯装置３に電力が供給されると、基板２１を介して発光素子２２に通電され、各発光素子２２が点灯する。発光素子２２から出射された光は、レンズ部材２３を透過して集光され、前面カバー４を透過して目的とする方向に照射される。
【００４５】
また、各発光素子２２から発生する熱は、基板２１裏面側から部品取付壁１１ｂに伝導され、さらに側壁１１ａからカバーケース１２へと伝導され、ケース本体１の全体へ伝導されて放熱される。したがって、発光素子２２の温度上昇を抑制でき、発光素子２２の特性や寿命に与える影響を軽減できる。また、点灯装置３から発生する熱も同様に、部品取付壁１１ｂに伝導され、側壁１１ａからカバーケース１２、さらにケース本体１の全体へ伝導されて放熱される。
このように部品取付壁１１ｂの前面側及び背面側の両面から熱が伝導され効果的な放熱が実現できる。
【００４６】
以上のように本実施形態によれば、ケース本体１をベースケース１１とカバーケース１２との分割ケースによって構成したので、組立作業性が良好で、生産性の向上を図ることができる。また、部品取付壁１１ｂの延出した端部とカバーケース１２の内面との間にクリアランスＣを形成するようにしたので、このクリアランスＣにリード線等の配線接続部材を配置することが可能となる。
【００４７】
さらに、ベースケース１１側に取付部材Ｆに取付けられる取付支持部１１ｃが形成されているので、照明器具を安定して支持することができる。また、接合強化手段６によりシール部材５のシール効果を高めることができ、防水性の確実な確保が可能となる。
【００４８】
さらにまた、蓋部材８が取外されている状態において、端子台７が露出されるように配置されているので、電源線の接続作業が容易となる効果を奏することができる。
【００４９】
なお、本発明は、上記実施形態の構成に限定されることなく、発明の要旨を逸脱しない範囲で種々の変形が可能である。例えば、ケース本体は、押出成形によって形成するのが好適であるが、これに限らない。成形方法が格別限定されるものではない。
【００５０】
発光素子は、ＬＥＤや有機ＥＬ等の固体発光素子が適用できる。発光素子を基板に実装する場合、発光素子を表面実装方式で実装する場合や発光素子を直接基板に実装する場合がある。発光素子の実装個数は、特段限定されるものではない。
また、発光素子を基板に実装する場合、照明器具の長さ寸法に応じて、基板の枚数を適宜選択し直線状に配置して構成することができる。
【００５１】
さらに、照明器具としては、屋外で使用されるものに限らず、屋内で使用されるものであってもよい。屋外又は屋内で使用される各種照明器具に適用可能である。
【符号の説明】
【００５２】
１・・・ケース本体、２・・・光源部、３・・・点灯装置、４・・・前面カバー、
５・・・シール部材、６・・・接合強化手段（締め付けボルト）、７・・・端子台、
８・・・蓋部材、１１・・・ベースケース、１１ａ・・・側壁、
１１ｂ・・・部品取付壁、１１ｃ・・・取付支持部、１２・・・カバーケース、
２１・・・基板、２２・・・発光素子（ＬＥＤ）、Ｃ・・・クリアランス
【図１】
2012099277.tif 000003
【図２】
2012099277.tif 000004
【図３】
2012099277.tif 000005
【図４】
2012099277.tif 000006
【図５】
2012099277.tif 000007
【図６】
2012099277.tif 000008
【図７】
2012099277.tif 000009
【図８】
2012099277.tif 000010
【図９】
2012099277.tif 000011
【図１０】
2012099277.tif 000012